(57)【要約】【課題】電柱支線に絡まった蔓植物の除去を、従来のものよりも安全で簡便に、且つ確実に行うことのできる電柱支線用蔓性植物除去装置を提供する。【解決手段】本発明によれば、長手方向のほぼ中央位置にその長辺に開放する略Ｕ字形状の切欠き部を有すると共に、両端下面に吊持された一対の引き手綱を有する第１の平板部材と、前記第１の平板部材の上面に重なった状態で着脱可能に係止され、第１の平板部材の切欠き部と対向する位置に設けられた略Ｕ字形状の切欠き部を有する第２の平板部材と、を備え、前記第１と第２の平板部材の重なり状態にて、互いに対向する切欠き部の底部同士で電柱支線を囲む支線通過孔を形成し、電柱支線を該支線通過孔に通すように第１と第２の平板部材を係止した状態で引き手綱を地上から引き降ろすことによって、電柱支線に絡み着いた蔓性植物を引き剥がすことができる。【選択図】図１
2007074880.tif 000002
【特許請求の範囲】
【請求項１】
電柱支線に絡まった蔓性植物を除去するための装置であって、
長手方向のほぼ中央位置にその長辺に開放する略Ｕ字形状の切欠き部を有すると共に、両端下面に吊持された一対の引き手綱を有する第１の平板部材と、
前記第１の平板部材の上面に重なった状態で着脱可能に係止され、第１の平板部材の切欠き部と対向する位置に設けられた略Ｕ字形状の切欠き部を有する第２の平板部材と、を備え、
前記第１と第２の平板部材の重なり状態にて、互いに対向する切欠き部の底部同士で前記電柱支線を囲む支線通過孔を形成することを特徴とする電柱支線用蔓性植物除去装置。
【請求項２】
前記支線通過孔を形成する切欠き部の底部の辺縁に、切断刃を備えたことを特徴とする請求項１に記載の電柱支線用蔓性植物除去装置。
【請求項３】
前記第１と第２の平板部材のいずれか、又は両平板部材に、前記電柱支線を通すカラビナ部材を取り付けたことを特徴とする請求項１または請求項２に記載の電柱支線用蔓性植物除去装置。
【発明の詳細な説明】
【技術分野】
【０００１】
本発明は、電柱支線に絡まった蔦や葛等の各種蔓性植物を除去するための、電柱支線用蔓性植物除去装置に関するものである。
【背景技術】
【０００２】
電柱には、電柱に止められたつり線や電柱間を結ぶ架空ケーブルとの張力バランスを取って電柱の倒壊や傾斜を防ぐために、通常、電柱上部から地中埋設部にかけて斜めに張られた鋼線からなる支線が設けられている。
【０００３】
このような電柱支線には、山地に限らず住宅地であっても、近辺に土壌が露呈している地域では、繁殖力の旺盛な蔦や葛等の蔓性植物が絡まっている。蔓性植物は、他の物に巻き付いたり引っ掛かるなどして絡み付きながら光合成に有利な高所へ伸びるものであり、電柱支線に絡まった蔓性植物を放置しておくと、電柱上部の高圧線にまで達し、短絡事故、停電等を発生させる恐れがある。
【０００４】
従って、このような電柱支線に絡まった蔓性植物は除去する必要があるが、電柱は低いものでも１２ｍの高さがあり、上記張力バランスを取るために支線は大きな傾斜角度で張られており、作業者が電柱に登って支線に手が届く範囲はほんの短い上部領域だけであり、作業者の手作業で蔓性植物を除去するのは非常に危険でありながらも除去できるのは上方の一部だけであって、支線下方までの除去は困難であった。
【０００５】
そこで、脚立や梯子等を利用して除去作業を行うことも考えられるが、この場合、脚立を何人かで支えながら他の一人がこれを登って脚立上方領域の支線に絡まった蔓性植物を除去し、その後、脚立から降りて脚立を移動させてからまた脚立に登ってその上方領域について蔓性植物を除去するという作業を繰り返し行うしかなく、非常に手間暇が掛かっていた。しかも、危険の伴う作業であった。
【０００６】
また、安全性の観点から、高所作業用のバケット車を利用する場合もある。しかしながら、バケット車の利用は、バケットおよびバケット昇降装置を搭載した車両を駐車できる道路スペースが確保できる場所にある電柱に限られている。従って、このような大きな占有スペースを必要とすることなく、安全で簡便に電柱支線に絡まった蔓性植物を除去できる装置が望まれていた。
【０００７】
そのなかで、例えば、長尺の杆体の先端に鎌と鋸とを取付けた蔓の切払い除去具がある（特許文献１参照）。これは、杆体を高く差し上げるように持ち、先端の鎌を蔓に引っ掛けて引っ張ったり鋸で挽くことによって蔓を切り放すものである。
【特許文献１】特開平６−７０６６号公報
【発明の開示】
【発明が解決しようとする課題】
【０００８】
しかしながら、上記のような蔓の切払い除去具では、電柱上部の支線領域は視認できず、手探りで鎌を引っ掛けたり鋸を挽いたりしなければならず、十数メートルもの高所での蔓除去作業は現実的には不確かで非常に難しく、鎌や鋸による支線自体への損傷が懸念され、実用的ではない。
【０００９】
そこで、本発明は上記問題点に鑑み、電柱支線に絡まった蔓植物の除去を、従来のものよりも安全で簡便に、且つ確実に行うことのできる電柱支線用蔓性植物除去装置を提供することを目的とする。
【課題を解決するための手段】
【００１０】
本発明は、電柱支線に絡まった蔓性植物を除去するための装置であって、長手方向のほぼ中央位置にその長辺に開放する略Ｕ字形状の切欠き部を有すると共に、両端下面に吊持された一対の引き手綱を有する第１の平板部材と、前記第１の平板部材の上面に重なった状態で着脱可能に係止され、第１の平板部材の切欠き部と対向する位置に設けられた略Ｕ字形状の切欠き部を有する第２の平板部材と、を備え、前記第１と第２の平板部材の重なり状態にて、互いに対向する切欠き部の底部同士で前記電柱支線を囲む支線通過孔を形成することで、上述した課題を解決した。
【００１１】
また、前記支線通過孔を形成する切欠き部の底部の辺縁に、切断刃を備えたことで、同じく上述した課題を解決した。
【００１２】
さらに、前記第１と第２の平板部材のいずれか、又は両平板部材に、前記電柱支線を通すカラビナ部材を取り付けたことで、同じく上述した課題を解決した。
【発明の効果】
【００１３】
本発明によれば、長手方向のほぼ中央位置にその長辺に開放する略Ｕ字形状の切欠き部を有すると共に、両端下面に吊持された一対の引き手綱を有する第１の平板部材と、前記第１の平板部材の上面に重なった状態で着脱可能に係止され、第１の平板部材の切欠き部と対向する位置に設けられた略Ｕ字形状の切欠き部を有する第２の平板部材と、を備え、前記第１と第２の平板部材の重なり状態にて、互いに対向する切欠き部の底部同士で前記電柱支線を囲む支線通過孔を形成する電柱支線用蔓性植物除去装置であることから、蔓性植物が絡まった電柱支線の上端部を前記支線通過孔に通すように第１と第２の平板部材を係止することによって、本装置は電柱支線に装着される。
【００１４】
そして、該装着状態にて、吊り下がる一対の引き手綱を地上から引っ張るだけで、本装置の第１と第２の平板部材は電柱支線に沿って引き降ろされ、それに伴って支線を囲む前記支線通過孔の辺縁が支線に絡んでいた蔓性植物を剥がしながら引きずり降ろして除去していくことができる。
【００１５】
従って、本装置による蔓性植物の除去作業は、電柱上部まで登って支線上端部に本装置を装着する操作と、装着後に手綱を地上から引っ張るという簡単な操作だけで行うことができるものであり、装着操作は支線を挟み込むように第１と第２の平板部材同士を係止するという簡単なものであり、危険な高圧設備付近での作業は短時間で済むと共に、必要な作業人員は一人でも可能である。
【００１６】
即ち、本発明の電柱支線用蔓性植物除去装置によれば、従来の除去治具に比べて人手も手間も極力少なくて済むだけでなく、バケット車を止めるための大きな占有面積も必要とすることなく、簡便で確実でありながらも安全に電柱支線から蔓性植物を除去することができる。
【００１７】
また、本発明の電柱支線用蔓性植物除去装置において、前記支線通過孔を形成する切欠き部の底部の辺縁に、切断刃を備えたことから、支線から蔓性植物を引き剥がす際に、切断刃による切断効果によってより確実に且つより効率的に蔓を除去することができる。
【００１８】
さらに、本発明の電柱支線用蔓性植物除去装置において、前記第１と第２の平板部材のいずれか、又は両平板部材に、前記電柱支線を通すカラビナ部材をさらに取り付けたことで、このカラビナ部材を電柱支線を通して引っ掛けておくことで、もし作業中に第１と第２の平板部材同士の係止状態が解除されて支線から外れたとしても、このカラビナ部材によって第１および第２平板部材の落下は防がれ、下方の作業員や通行人に対する危険は回避される。
【００１９】
例えば、第１と第２の平板部材同士の係止を、例えば、ボルト止めなどで両端２箇所で行う場合、何れか一方の係止部が緩んで解除されたとしても、２箇所ともに外れることは稀であるため、少なくとも一方の平板部材に支線を通したカラビナ部材が取り付けられていれば、支線から装置が外れても第１と第２の平板部材同士は他方の係止部で連結された状態であるので、いずれかの平板部材が落下することはない。
【００２０】
もちろん、より確実な落下防止のためには、第１と第２の平板部材両方にカラビナ部材を取り付ける構成が望ましい。この場合、各平板部材にそれぞれ一個ずつカラビナ部材を取り付けても良いし、また一個のカラビナ部材を取り付けるものとし、取付部材により第１と第２の平板部材を連結させる構造としても良い。
【発明を実施するための最良の形態】
【００２１】
以下に、本発明を実施するための最良の形態を、図面を参照して説明する。
【００２２】
本実施形態に係る電柱支線用蔓性植物除去装置１は、図１（ａ）に示すように、長手方向のほぼ中央位置にその長辺に開放する略Ｕ字形状の切欠き部３が形成された第１の平板部材２と、この第１の平板部材２の上面に重ねられて着脱可能に係止される第２の平板部材６とから主に構成される。本実施形態においては、係止手段として、第１と第２の平板部材（２，６）を両端でボルト・ナット（９ａ、９ｂ）により係止する場合を例示する。
【００２３】
第２の平板部材６には、第１の平板部材２の切欠き部３と対向する位置に同様の略Ｕ字形状の切欠き部７が形成されており、前記第１と第２の平板部材（２，６）の重なり係止状態にて、図１（ｂ）に示すように、各切欠き部（３，７）の互いに対向する底部（４，８）同士で電柱支線１００を囲むための支線通過孔１０が形成される。
【００２４】
また、第１の平板部材２には、両端下面にそれぞれ引き手綱５がそれぞれ吊持されており、さらに、カラビナ部材１１が紐を介して取り付けられている。
【００２５】
以上の構成を備えた本装置１による電柱支線１００に絡まった蔓植物の除去作業は、以下の操作で行うことができる。
【００２６】
まず、図４に示すように、作業者Ａは、本装置１を持って対象となる電柱２００を登り、電柱支線１００の上端付近に本装置１を装着する。
【００２７】
このとき、本装置１は、予め第１の平板部材２と第２の平板部材６とを一端側のみボルト・ナット９ａで互いに回動可能に係止しておけば、両平板部材（２，６）を一体に持ち運ぶことができるため、平板部材を別体のまま運んで、電柱２００の登り途中で一方の平板部材を落としたり、運び忘れたりするという問題が生じない。
【００２８】
しかも、電柱支線１００への装着は、図１（ａ）の他端側を開いた状態で電柱支線１００を中央部分に挟み込むようにしてから閉じ、他端のボルト・ナット９ｂを締めるだけで行えるため、電柱２００の上部でボルト締めを２箇所行うよりも作業時間が短縮される。
【００２９】
このとき、カラビナ部材１１に電柱支線１００を通して引っ掛けておく。このカラビナ部材１１により、もし作業中に両端のボルト・ナット（９ａ，９ｂ）のうちの一方が緩んで第１の平板部材２に対する第２の平板部材６の係止状態が解除されて電柱支線１００から本装置１が外れたとしても、装置１の落下は防がれ、下方の作業員Ｂや通行人に対する危険は回避される。
【００３０】
以上のように、電柱２００の上部で電柱支線１００にカラビナ部材１１を引っ掛けると共に、電柱支線１００を第１の平板部材２と第２の平板部材６との間で各切欠き部（３，７）位置で挟み込むように第１と第２の平板部材（２，６）の他端部を閉じるように両部材を重ねてボルト・ナット９ｂを締めて係止固定するという簡便な操作だけで、図２に示すように、両平板部材（２，６）の互いに対向する切欠き部（３，７）の底部（４，８）同士で形成される支線通過孔１０内に電柱支線１００が通された状態で本装置１の電柱支線１００への装着が完了する。この電柱支線１００に装着状態となった本装置１は、電柱支線１００に何も絡んでいなければ自重で電柱支線１００に沿って滑り落ちて来るが、蔓性植物が絡んでいれば、その端部に当たって止まる。
【００３１】
このような本装置１の装着が完了すれば、図４に示すように、地上にいる作業者Ｂ、あるいは、電柱２００から下りた作業者Ａが、引き手綱５を持って下方へ引っ張るだけで、本装置１は電柱支線１００に沿って引き降ろされ、それに伴って図３に示すように、電柱支線１００を囲む支線通過孔１０の辺縁が電柱支線１００に絡んでいた蔓性植物を剥がしながら引きずり降ろして除去していくことができる。
【００３２】
なお、図４に示すように、一般的に電柱支線１００には、地上約２ｍ程度の位置に絶縁体として白陶磁器製の碍子１０１が取り付けられているため、本装置１による蔓性植物の引き下ろしはこの碍子１０１上部位置まで行う。そして、碍子１０１上方に溜まった植物は、低い脚立等を利用して取り払うものである。
【００３３】
また、蔓性植物の種類によっては、絡み着きが強く、引き剥がす際の抵抗荷重が大きい場合も考えられる。そこで、支線通過孔１０を形成する切欠き部（３，７）の底部（４，８）の辺縁に切断刃を設けておけば、その切断効果によって、より容易に効率良く蔓性植物を電柱支線１００から除去することができる。
【００３４】
また、本発明における略Ｕ字形状の切欠き部は、例えば、図５（ａ）の第１と第２の平板部材（２，６）の平面図に示すような必ずしも真のＵ字形状の切欠き部（３，７）に限らず、図６（ａ）の第１と第２の平板部材（２２，２６）の平面図に示すようなコの字形状の切欠き部（２３，２７）であっても良い。
【００３５】
また、互いに対向する切欠き部同士も必ずしも同一形状とする必要はなく、第１と第２平板部材の重なり状態にて互いに対向する切欠き部の底部辺縁によって周縁が閉じた支線通過孔が形成できるものであれば良い。
【００３６】
従って、切断刃は、実際の切欠き部およびその底部の形状に応じて適宜設定すれば良い。例えば、図５（ａ）・（ｂ）のように切欠き部（３，７）がＵ字形状であれば、底部にそれぞれ半円形状の切断刃（１５ａ，１５ｂ）を設けることにより、前記重なり状態にて円形に構成される支線通過孔の辺縁のほぼ全周に亘って円形の切断刃が形成されることになる。
【００３７】
また、図６（ａ）・（ｂ）・（ｃ）のように切欠き部（２３，２７）がコの字形状であれば、一方の底部に直線状に設けた切断刃２０ａに対して、他方の底部にコの字状に設けた切断刃２０ｂにより、前記重なり状態にて四角形に構成される支線通過孔の辺縁のほぼ全周に亘って四角形の切断刃が形成されることになる。
【００３８】
さらに、作業方法として、実際の作業日より数日前に、予め絡み着いている蔓性植物の根を切断しておけば、当日には蔓性植物が枯れて電柱支線１００への絡み着きも弱まるため、除去作業が容易になる。
【００３９】
以上のように、本実施形態の電柱支線用蔓性植物除去装置１によれば、バケット車を止めるための大きな占有面積も必要とすることなく、人手も手間も極力少なくて済み、簡便で確実でありながらも安全に電柱支線１００から蔓性植物を除去することができる。
【００４０】
なお、上記実施形態では、第１と第２の平板部材の係止手段として、ボルト・ナット（９ａ，９ｂ）によるネジ止めを採用した場合を示したが、本発明はこれに限定されるものではなく、両平板部材が容易に着脱できると共に、作業中において係止状態がある程度強固に維持できる機構を備えた物であれば広く利用可能である。
【００４１】
また、平板部材は、鋼板製とするなど、蔓性植物除去時の抵抗荷重に対して容易に損傷したり割れが生じることなく、安価で成形も簡単な硬い素材が望ましい。
【産業上の利用可能性】
【００４２】
本発明は、電柱支線に絡まった蔓性植物の除去を、従来のものよりも安全で簡便に、且つ確実に行うことのできる電柱支線用蔓性植物除去装置として、種々の電柱に広く利用されるものである。
【図面の簡単な説明】
【００４３】
【図１】本発明の実施形態による電柱支線用蔓性植物除去装置の構成を示す概略平面図であり、（ａ）は第１と第２の平板部材同士の係止前状態、（ｂ）は第１と第２の平板部材同士の係止状態をそれぞれ示す模式図である。
【図２】電柱支線用蔓性植物除去装置の電柱支線への装着状態を示す概略斜視図である。
【図３】電柱支線用蔓性植物除去装置による蔓性植物の除去状態を示す模式図である。
【図４】電柱支線用蔓性植物除去装置による蔓性植物の除去作業の状態を示す説明図である。
【図５】電柱支線用蔓性植物除去装置の切欠き部および切断刃の形状の一例を示す模式図であり、（ａ）は第１と第２の平板部材の切欠き部付近を示す部分平面図、（ｂ）は切断刃部分を示す第１の平板部材の側面図である。
【図６】電柱支線用蔓性植物除去装置の切欠き部および切断刃の形状の他の例を示す模式図であり、（ａ）は第１と第２の平板部材の切欠き部付近を示す部分平面図、（ｂ）は切断刃部分を示す第２の平板部材の側面図、（ｃ）は切断刃部分を示す第１の平板部材の側面図である。
【符号の説明】
【００４４】
１：電柱支線用蔓性植物除去装置
２，２２：第１の平板部材
３，２３：切欠き部
４：（切欠き部３の）底部
５：引き手綱
６，２６：第２の平板部材
７，２７：切欠き部
８：（切欠き部７の）底部
９ａ，９ｂ：ボルト・ナット
１０：支線通過孔
１１：カラビナ部材
１５ａ，１５ｂ，２０ａ，２０ｂ：切断刃
１００：電柱支線
１０１：碍子
２００：電柱
Ａ，Ｂ：作業者
【図１】
2007074880.tif 000003
【図２】
2007074880.tif 000004
【図３】
2007074880.tif 000005
【図４】
2007074880.tif 000006
【図５】
2007074880.tif 000007
【図６】
2007074880.tif 000008